(57)【要約】【課題】  食事天板上にセットした料理を食事天板以外の場所へ移動させることなく、食事に必要な、箸、スプーン、フォーク、ナイフなどの小物類を取出可能となしたキャビネットを提供する。【解決手段】  出し入れ可能な食事天板７を備えた床頭台１において、食事のときに使用する小物類１４を収納する補助収納部として、食事天板７を収納した状態においても、前後方向に移動させることによって出し入れ可能な補助引き出し１３を設けるとともに、補助引き出し１３を収納し、食事天板７を引き出した状態で、食事天板７の上側から補助引き出し１３内を透視可能な覗窓１９を設けた。【選択図】        図３
2006230468.tif 000002
【特許請求の範囲】
【請求項１】
出し入れ可能な食事天板を備えたキャビネットにおいて、
前記食事天板に、食事のときに使用する小物類を収納する補助収納部を、少なくとも食事天板を引き出した状態で開閉可能に設けた、
ことを特徴とするキャビネット。
【請求項２】
前記補助収納部として、食事天板を収納した状態においても、前後方向に移動させることによって出し入れ可能な補助引き出しを設けた請求項１記載のキャビネット。
【請求項３】
前記補助収納部として、食事天板を引き出した状態で、左右方向に移動させることによって出し入れ可能な補助引き出しを設けた請求項１記載のキャビネット。
【請求項４】
前記補助収納部として、食事天板の上面側部に形成した収納凹部と、収納凹部を開閉する蓋部材とを設けた請求項１記載のキャビネット。
【請求項５】
前記補助収納部を閉じ、食事天板を引き出した状態で、その上側から補助収納部内を透視可能な覗窓を設けた請求項１〜４のいずれか１項記載のキャビネット。
【請求項６】
前記キャビネットが床頭台である請求項１〜５のいずれか１項記載のキャビネット。
【発明の詳細な説明】
【技術分野】
【０００１】
本発明は、出し入れ可能な食事天板を備えたキャビネットに関する。
【背景技術】
【０００２】
食事天板を備えたキャビネットとして、上部にテレビを収納するための収納スペースを設け、下部に身の回り品や冷蔵庫を収納するための収納スペースを設け、途中部に食事天板と小物類を収納するための引き出しを上下に隣接配置した床頭台が、ホテルや病院等において広く用いられている（例えば、特許文献１参照。）。
【０００３】
また、食事をする際に用いる小物類、例えば箸、スプーン、フォーク、ナイフなどは、利用者にもよるが、通常は食事天板の上側又は下側に配置される引き出しに収納しており、食事天板を用いて食事をする際には、引き出しから必要な小物類を取り出した後、床頭台から食事天板を手前へ引き出して、その上に料理を盛り付けた食器類を直接或いはお盆に載せた状態でセットして食事することになる。
【０００４】
一方、食事用テーブルとして、食事の際に用いる、スプーン、フォーク、ナイフなどの小物類を収納するための収納箱をコーナ部に一体的に備えさせたものも提案されている（例えば、特許文献２参照。）。
【０００５】
【特許文献１】登録実用新案第３０８１０４７号公報
【特許文献２】特開平８−３３２１１９号公報
【発明の開示】
【発明が解決しようとする課題】
【０００６】
ところで、前記特許文献１記載の床頭台のように、食事天板の上側に引き出しが隣接配置されている場合には、食事天板上に物を載せた状態で、引き出しを引き出すことができず、また食事天板の下側に引き出しが隣接配置されている場合には、食事天板を引き出した状態で、引き出しから収納物を取り出すことができないという不自由さがある。特に、食事天板を用いて食事をする際に、食事天板上に料理をセットした状態で、箸、スプーン、フォーク、ナイフなどの小物類を引き出しから出し忘れていることに気付いたときに、そのままの状態で引き出しから小物類を取り出すことができないことから、折角セットした料理を一旦食事天板以外の場所へ移動させ、引き出しから必要な小物類を取り出して、再度食事天板上に料理をセットし直すという大変煩雑な作業が必要となることがあった。
【０００７】
本発明の目的は、食事天板上にセットした料理を食事天板以外の場所へ移動させることなく、食事に必要な、箸、スプーン、フォーク、ナイフなどの小物類を取出可能となしたキャビネットを提供することである。
【課題を解決するための手段】
【０００８】
本発明に係るキャビネットは、出し入れ可能な食事天板を備えたキャビネットにおいて、前記食事天板に、食事のときに使用する小物類を収納する補助収納部を、少なくとも食事天板を引き出した状態で開閉可能に設けたものである。
【０００９】
このキャビネットでは、食事天板を引き出した状態で、その上に料理を盛り付けた食器類を直接或いはお盆に載せた状態でセットして、補助収納部内に収納した、箸、スプーン、フォーク、ナイフなどの小物類を用いて食事することができる。つまり、このキャビネットでは、小物類を収納するための専用の補助収納部を食事天板に設けているので、従来の床頭台とは異なり、食事天板の上側又は下側に隣接配置される引き出しに小物類を収納する必要がなく、しかも食事天板を引き出した状態でこの補助収納部を開閉できるように構成しているので、補助収納部内に箸、スプーン、フォーク、ナイフなどの小物類を収納しておけば、食事天板上に料理をセットしているか否かに関係なく、これらの小物類を確実に且つ容易に取り出すことができる。また、食事天板の構成を変更しているだけなので、既存のキャビネットに対しても、食事天板を交換することで容易に且つ安価に本発明を実施することができる。
【００１０】
ここで、前記補助収納部として、食事天板を収納した状態においても、前後方向に移動させることによって出し入れ可能な補助引き出しを設けること、前記補助収納部として、食事天板を引き出した状態で、左右方向に移動させることによって出し入れ可能な補助引き出しを設けること、前記補助収納部として、食事天板の上面側部に形成した収納凹部と、収納凹部を開閉する蓋部材とを設けること、前記補助収納部を閉じ、食事天板を引き出した状態で、その上側から補助収納部内を透視可能な覗窓を設けること、前記キャビネットが床頭台であること、などが好ましい実施例である。
【発明の効果】
【００１１】
本発明に係るキャビネットによれば、食事天板に、食事のときに使用する小物類を収納する補助収納部を、少なくとも食事天板を引き出した状態で開閉可能に設けているので、補助収納部内に箸、スプーン、フォーク、ナイフなどの小物類を収納することで、食事天板上に料理をセットしているか否かに関係なく、これらの小物類を確実且つ容易に取り出すことが可能となる。このため、従来の床頭台のように、食事天板上に料理をセットした状態で、箸、スプーン、フォーク、ナイフなどの小物類を引き出しから出し忘れていることに気付いたときにおける、小物類を引き出しから取り出すための煩雑な作業の発生を未然に防止できる。また、既存のキャビネットに対しても、食事天板を交換することで容易に且つ安価に本発明を実施することができる。
【００１２】
ここで、前記補助収納部として、食事天板を収納した状態においても、前後方向に移動させることによって出し入れ可能な補助引き出しを設けると、補助引き出しによる小物類の収納操作性を改善できる。つまり、箸、スプーン、フォーク、ナイフなどの小物類は食事が終わってから、洗って補助収納部に収納することになるが、このとき食事天板の出し入れの状態に関係なく、補助収納部を開閉操作して小物類を収納できるので、補助引き出しによる小物類の収納操作性を向上できる。また、このように構成すると、前後方向への案内用のガイドを側部に設けた食事天板に対しも無理なく本発明を適用することが可能となる。
【００１３】
また、前記補助収納部として、食事天板を引き出した状態で、左右方向に移動させることによって出し入れ可能な補助引き出しを設けると、補助引き出しを引き出した状態での食事が可能となり、小物類を載せるテーブルとして補助引き出しを活用することが可能となる。
【００１４】
また、前記補助収納部として、食事天板の上面側部に形成した収納凹部と、収納凹部を開閉する蓋部材とを設けると、食事天板上にセットしたお盆を側方へ多少ずらすだけで、箸、スプーン、フォーク、ナイフなどの小物類を収納凹部から取り出すことができる。また、補助引き出しを設ける場合と比較して、食事天板の構成を簡単にして、その製造コストを低減できる。更に、前後方向への案内用のガイドを側部に設けた食事天板に対しも無理なく本発明を適用することが可能となる。
【００１５】
更に、前記補助収納部を閉じ、食事天板を引き出した状態で、その上側から補助収納部内を透視可能な覗窓を設けると、補助収納部を開放することなく、補助収納部内に必要な小物類が収納されているか否かを確認できる。このため、必要な小物類が補助収納部に収納されていない場合には、食事天板上に料理をセットする前に、引き出しを開けるなどして必要な小物を探すことができる。
【発明を実施するための最良の形態】
【００１６】
以下、本発明の実施例について図面を参照しながら説明する。
図１〜図３に示すように、床頭台１について説明すると、床頭台本体２の下面には床面上を移動自在に床頭台本体２を支持する４つのキャスター３が設けられ、床頭台本体２の下部には冷蔵庫等を収納するのに好適な第１収納空間４が設けられ、床頭台１の上部には身の回り品を収納するのに好適な左右に開閉可能なシャッター扉５を有する戸棚（図示略）が設けられている。床頭台１の高さ方向の途中部の上部にはテレビ等を収納するのに好適な第２収納空間６が設けられ、床頭台１の高さ方向の途中部の下部には食事天板７と引き出し８とが前後方向にスライド自在に上下に隣接配置されている。尚、床頭台１としては、食事天板７を有するものであれば任意の構成のものを採用することが可能である。また、本実施例では、床頭台１に本発明を適用した場合について説明するが、整理棚やベッドサイドテーブル、飾り棚などを含むキャビネットにおいても、食事天板７とを有するものであれば、本発明を同様に適用することが可能である。
【００１７】
引き出し８は、上面を開放した有底箱状の周知の構成のもので、前後方向に略水平に操作することで床頭台本体２に出し入れ可能に設けられている。本実施例では、食事天板７の下側に引き出し８を隣接配置させたが、食事天板７の上側や上下両側に引き出し８を隣接配置したものについても本発明を同様に適用することができる。
【００１８】
食事天板７について説明すると、平板状の天板１０が前後方向への移動により床頭台本体２に出し入れ可能に設けられ、天板１０の前端部には左右方向に細長い鏡板１１が略鉛直方向に設けられている。鏡板１１の左右方向の途中部には取手１２が設けられ、この取手１２に指を引っ掛けて食事天板７を出し入れできるように構成されている。本実施例では、木材で食事天板７を構成したが合成樹脂材料や金属材料で構成することも可能である。
【００１９】
食事天板７の右部には補助収納部としての補助引き出し１３が前後移動自在に設けられている。この補助引き出し１３は、食事をする際に用いる小物類１４、例えば箸、スプーン、フォーク、ナイフなどを収納可能なサイズの本体部１５と、本体部１５の前端部に設けた鏡板１６とを備え、上面を開放した有底な箱状に構成されている。鏡板１６の左右方向の途中部には取手１７が設けられ、この取手１７に指を引っ掛けて補助引き出し１３を食事天板７に対して相対的に前後移動させて補助引き出し１３を出し入れできるように構成されている。また、補助引き出し１３を食事天板７に収納した状態で、補助引き出し１３の鏡板１６が食事天板７の鏡板１１と面一になるように構成され、鏡板１１、１６が前後にずれて配置されることによる床頭台１の外観低下を防止できるように構成されている。尚、本実施例では、補助引き出し１３を木材で構成したが合成樹脂材料や金属材料で構成することも可能である。また、補助引き出し１３には、小物類１４として醤油やソースやマヨネーズなどのミニチューブ入りの調味料などを収納することも可能である。
【００２０】
補助引き出し１３の上側において食事天板７の上面には開口部（図示略）が形成され、この開口部には透明な合成樹脂材料やガラスなどからなる透明板１８が嵌め込まれ、開口部と透明板１８とで食事天板７の上面には補助引き出し１３内を透視可能な覗窓１９が形成されている。このため、補助引き出し１３を引き出さなくても、食事天板７を引き出すだけで、覗窓１９を通じて補助引き出し１３にどのような小物類１４が収納されているのかを目視にて確認できる。尚、覗窓１９のサイズ及び形状は、補助引き出し１３にどのような小物類１４が収納されているかを確認可能なサイズであれば任意のサイズに設定することができる。また、この覗窓１９は、必須の構成ではなく、省略することも可能である。
【００２１】
この床頭台１を用いて食事をする際には、食事天板７を引き出して、その上に料理２０を盛り付けた食器類を直接或いは図３に示すようにお盆２１に載せた状態でセットし、補助引き出し１３から食事に使用するスプーンやフォークなどの必要な小物類１４を取り出して、食事することになる。つまり、小物類１４を収納する補助引き出し１３を設けるという簡単な構成で、食事天板７を引き出すと使用できなくなる引き出し８に対して小物類１４を収納する必要性をなくし、引き出し８からの小物類１４の出し忘れによる不具合を防止して、スムーズに小物類１４を取り出して食事を行うことができる。
【００２２】
また、食事天板７を引き出した状態で、覗窓１９を通じて食事に必要な小物類１４が補助引き出し１３に収納されているか否かを確認できるので、必要な小物類１４が収納されていない場合には、食事天板７上に料理２０をセットする前に、引き出し８等から必要な小物類１４を取り出し、この状態で食事天板７を引き出して食事天板７上に料理２０をセットすることができ、引き出し８からの小物類１４の出し忘れによる不具合をより一層効果的に防止できる。
【００２３】
次に、前記食事天板７の構成を部分的に変更した他の実施例について説明する。尚、前記実施例と同一部材には同一符号を付してその詳細な説明を省略する。
（１）  図４に示す食事天板７Ａのように、補助収納部として、天板１０Ａの側部に側方へ出し入れ可能な補助引き出し１３Ａを設けることができる。特に、図４に示すように、小物類１４の長手方向を前後方向にしてセットできるように、補助引き出し１３Ａを前後方向に細長く構成した場合には、側方へ引き出した補助引き出し１３Ａを、そのまま小物類１４を置くためのテーブルとして利用することが可能となる。
【００２４】
（２）  図５に示す食事天板７Ｂのように、補助収納部として、天板１０Ｂの上部に小物類１４を収納可能な収納凹部２５を形成し、この収納凹部２５を開閉可能な蓋部材２６を設けてもよい。この場合には、補助引き出し１３、１３Ａを設ける場合と比較して、食事天板７Ｂの製作コストを低減できる。また、この食事天板７Ｂにおいて、収納凹部２５の形成位置は任意に設定可能であるが、図５に示すように天板１０の上面の側部に小物類１４の長手方向を前後方向にしてセットできるように形成すると、食事天板７上に料理２０をセットした状態においても、料理２０を載せたお盆２１を側方へずらすことで、蓋部材２６を開蓋して小物類１４を取り出すことができるので好ましい。更に、蓋部材２６を透明板で構成すると、食事天板７に料理２０をセットする前に、収納凹部２５内に収納されている小物類１４を目視にて確認することができるので好ましい。
【図面の簡単な説明】
【００２５】
【図１】床頭台の斜視図
【図２】食事天板及び補助引き出しを引き出した状態での床頭台の斜視図
【図３】食事天板上に料理をセットし、補助引き出しを引き出した状態での床頭台要部の斜視図
【図４】他の構成の食事天板上に料理をセットし、補助引き出しを引き出した状態での床頭台要部の斜視図
【図５】他の構成の食事天板上に料理をセットし、補助収納部を開放した状態での床頭台要部の斜視図
【符号の説明】
【００２６】
１      床頭台            ２      床頭台本体
３      キャスター        ４      第１収納空間
５      シャッター扉      ６      第２収納空間
７      食事天板          ８      引き出し
１０    天板              １１    鏡板
１２    取手              １３    補助引き出し
１４    小物類            １５    本体部
１６    鏡板              １７    取手
１８    透明板            １９    覗窓
２０    料理              ２１    盆
７Ａ    食事天板          １０Ａ  天板
１３Ａ  補助引き出し
７Ｂ    食事天板          １０Ｂ  天板
２５    収納凹部          ２６    蓋部材
【図１】
2006230468.tif 000003
【図２】
2006230468.tif 000004
【図３】
2006230468.tif 000005
【図４】
2006230468.tif 000006
【図５】
2006230468.tif 000007